(57)【要約】【課題】１台のＡＶ機器を二つの部屋で共用可能とし、区切った空間を連結して一部屋として使用するときは、パネル本体を壁面に沿う収納位置に容易に移動できる可動間仕切りパネルを提供する。【解決手段】レールに支持され室内を移動可能とされ、パネル本体１は間仕切り位置に配設される間仕切りレールと、該間仕切りレールから略直角に屈曲して壁面に沿って延設される延設レールとにガイド手段を介してスライド自在に保持され、該パネル本体１は本体自体が間仕切りレールに対して回動自在とされるとともに、上記パネル本体１に設けられた開口窓部１１にはＡＶ機器９が回動自在に内設され、室内空間の間仕切り位置と壁面に沿う収納位置とを移動自在とされた可動間仕切りパネルＡ。【選択図】図１
2009228355.tif 000002
【特許請求の範囲】
【請求項１】
レールに支持され室内を移動可能とされた可動間仕切りパネルであって、パネル本体は間仕切り位置に配設される間仕切りレールと、該間仕切りレールから略直角に屈曲して壁面に沿って延設される延設レールとにガイド手段を介してスライド自在に保持され、該パネル本体は本体自体が間仕切りレールに対して回動自在とされるとともに、上記パネル本体に設けられた開口窓部にはＡＶ機器が回動自在に内設され、室内空間の間仕切り位置と壁面に沿う収納位置とを移動自在とされた可動間仕切りパネル。
【請求項２】
上記レールが間仕切り位置に配設される上間仕切りレールと、該上間仕切りレールから略直角に屈曲して壁面に沿って延設される上延設レールとからなり、上ガイド手段を介してスライド自在に保持されてなる請求項１に記載の可動間仕切りパネル。
【請求項３】
上記上間仕切りレールと上延設レールとが天井面に配設されたリップ付き溝形鋼から構成され、上ガイド手段が上記リップ付き溝形鋼に保持されるスライドランナーとされた請求項１に記載の可動間仕切りパネル。
【請求項４】
上記上間仕切りレールと上延設レールとに対をなすよう床面に下間仕切りレールと下延設レールとを配設し、パネル本体をスライド自在に支持する下ガイド手段が断面略円形のスライドピンである請求項３に記載の可動間仕切りパネル。
【発明の詳細な説明】
【技術分野】
【０００１】
本発明は、間仕切りパネルに関する。さらに詳しくは、室内空間の間仕切りを行うとともに、区切った空間を連結して一部屋として使用するときは、壁面の収納位置に移動可能とされた可動間仕切りパネルに関するものである。
【背景技術】
【０００２】
近年、住居様式の多様化、家族構成の変化等に対応するため、室内空間を臨機応変に変えて居住者のライフスタイルやライフステージに柔軟に対応できる内装システムが求められている。そして、そのような内装システムの構築に際して、室内空間を使用状況に応じて間仕切り壁によって仕切ることができる可動間仕切り装置が利用されている。
【０００３】
例えば、特開２００７−２５５１１８号公報には、間仕切り壁の移動や回転を円滑に安定して行うことができる可動間仕切り装置が提案されている。
【０００４】
一方、最近のオーディオビジュアル機器（ＡＶ機器）の薄型化にともなって、部屋を区切るために取り付けられた引き戸や開き戸などの戸とＡＶ機器とを融合させることが可能となり、例えば、特開２００１−１４６８８３号公報には水平移動または回転運動を行うことにより部屋の出入り口の開閉を行う戸とＡＶ機器とを融合させることにより多機能化させた戸が開示されている。
【特許文献１】特開２００７−２５５１１８号公報
【特許文献２】特開２００１−１４６８８３号公報
【発明の開示】
【発明が解決しようとする課題】
【０００５】
しかしながら、上記したいずれの技術も部屋を分離して使用するという機能しかなく、区切った部屋をひとつの部屋として用いるときの機能性、特にＡＶ機器の利用の利便性を向上させるという点については言及されていない。本願発明は、上記背景技術に鑑みてなしたものであり、その目的は、間仕切りパネル本体を移動可能とし、あるいはパネル本体自体を回動できるようにして、分離された各部屋に必要に応じてＡＶ機器を配設した面を向け、１台のＡＶ機器を二つの部屋で共用できるとともに、区切った空間を連結して一部屋として使用するときは、上記パネル本体を壁面に沿う収納位置に容易に移動できる可動間仕切りパネルを提供することである。
【課題を解決するための手段】
【０００６】
上記課題を解決するために、本願請求項１に記載の発明に係る可動間仕切りパネルは、レールに支持され室内を移動可能とされた可動間仕切りパネルであって、パネル本体は間仕切り位置に配設される間仕切りレールと、該間仕切りレールから略直角に屈曲して壁面に沿って延設される延設レールとにガイド手段を介してスライド自在に保持され、該パネル本体は本体自体が間仕切りレールに対して回動自在とされるとともに、上記パネル本体に設けられた開口窓部にはＡＶ機器が回動自在に内設され、室内空間の間仕切り位置と壁面に沿う収納位置とを移動自在としたことを特徴としている。
【０００７】
上記ＡＶ機器としては、薄型液晶テレビや、ＣＤ兼用ＤＶＤドライブ、カセットデッキやチューナ、ＭＤデッキ、あるいは小型ステレオ、さらには、インターネットに接続可能に構成したマイコン等、いわゆるＡＶ機器と呼ばれる電器製品であれば特に限定されることなく用いられる。
【０００８】
本願請求項２に記載の発明は、上記請求項１に記載の可動間仕切りパネルにおいて、上記レールが間仕切り位置に配設される上間仕切りレールと、該上間仕切りレールから略直角に屈曲して壁面に沿って延設される上延設レールとからなり、上ガイド手段を介してスライド自在に保持されてなることを特徴としている。
【０００９】
本願請求項３に記載の発明は、上記請求項１に記載の可動間仕切りパネルにおいて、上記上間仕切りレールと上延設レールとが天井面に配設されたリップ付き溝形鋼から構成され、上ガイド手段が上記リップ付き溝形鋼に保持されるスライドランナーとされたことを特徴としている。
【００１０】
該スライドランナーは通常、円盤状のローラーガイドとこのローラーガイドに垂設された円筒状のガイドピンとからなり、上記ローラーガイドがリップ付き溝形鋼のリップとリップの間に保持され、ガイドピンはパネル本体上部に内設されたスリーブに摺動自在に嵌挿されている。
【００１１】
本願請求項４に記載の発明は、上記請求項３に記載の可動間仕切りパネルにおいて、上記上間仕切りレールと上延設レールとに対をなすよう床面に下間仕切りレールと下延設レールとを配設し、パネル本体をスライド自在に支持する下ガイド手段を断面略円形のスライドピンとしたことを特徴としている。
【発明の効果】
【００１２】
本願請求項１記載の発明に係る可動間仕切りパネルにおいては、パネル本体は、間仕切りレールと該間仕切りレールから略直角に屈曲して壁面に沿って延設される延設レールとからなるレールにガイド手段を介してスライド自在に、かつ、パネル本体自体が間仕切りレールに対して回動自在に保持されているため、間仕切り位置において、壁面と略平行となるようにパネル本体を略直角に回動し、そのまま壁面までスライド移動した後、略直角の屈曲部を曲がって延設レールに沿ってスライド移動することにより、室内空間の間仕切り位置と壁面に沿う収納位置に容易に移動することができる。
【００１３】
また、上記パネル本体に設けられた開口窓部にはＡＶ機器が回動自在に内設されているため、間仕切り位置において、ＡＶ機器を回動し、反転させることにより、間仕切りされた各部屋に必要に応じてＡＶ機器を配設した面を向けることが可能となり、１台のＡＶ機器を二つの部屋で共用することができる。
【００１４】
本願請求項２記載の発明に係る可動間仕切りパネルにおいては、特に、上記レールが間仕切り位置に配設される上間仕切りレールと、該上間仕切りレールから略直角に屈曲して壁面に沿って延設される上延設レールとからなり、上ガイド手段を介してスライド自在に保持することにより、床面にレールを設けることなく、見映えよく、間仕切りパネル本体を室内空間の間仕切り位置と壁面に沿う収納位置とに移動することができる。
【００１５】
本願請求項３記載の発明に係る可動間仕切りパネルにおいては、特に、上記上間仕切りレールと上延設レールとからなる上レールが天井面に配設されたリップ付き溝形鋼から構成されているため、いわゆるＣチャンネルと呼ばれる市販品を容易に利用することができる。
【００１６】
また、上ガイド手段を円盤状のローラーガイドとこのローラーガイドに垂設された円筒状のガイドピンとからなるスライドランナーとすることにより、上記ローラーガイドがリップとリップとの間に挟持するように保持され、スライド自在とされるとともに、円筒状のガイドピンが略直角の屈曲部をスムースに曲がることができるため、間仕切りパネル本体を室内空間の間仕切り位置から壁面に沿う収納位置に移動することができる。また、逆に、壁面に沿う収納位置から室内空間の間仕切り位置に移動することができる。
【００１７】
本願請求項４記載の発明に係る可動間仕切りパネルにおいては、特に、上記上間仕切りレールと上延設レールとに対をなすよう床面に下間仕切りレールと下延設レールとを配設し、パネル本体をスライド自在に支持する下ガイド手段が断面略円形のスライドピン、例えば、円筒体とされているため、この下ガイドピンが下間仕切りレールと下延設レールとの間の略直角の屈曲部をスムースに曲がり、パネル本体を自由にスライド移動することができる。
【発明を実施するための最良の形態】
【００１８】
以下、本発明の実施形態について図面を参照して詳細に説明する。本実施形態においては、パネル本体が天井面に配設される上間仕切りレールとこの上間仕切りレールから略直角に屈曲して壁面に沿って延設される上延設レールとに上ガイド手段を介してスライド自在に保持されるとともに、上記上間仕切りレールと上延設レールとに対をなして床面に下間仕切りレールと下延設レールとを配設し、上、下ガイド手段を介してパネル本体がスライド自在に支持される形態について説明する。
【００１９】
図１は、本願発明にかかる可動間仕切りパネルＡを示す外観斜視図である。図１に示すように、上記可動間仕切りパネルＡにおいて、パネル本体１は、図外天井面に配設されたリップ付き溝形鋼からなる上間仕切りレール２にリップ２１間の隙間を通ってスライド自在に移動するスライドランナー４を介して保持され、図外床面に上記上間仕切りレール２と対をなして配設された下間仕切りレール３との間にスライド自在に支持され、室内を移動可能とされている。また、図１に示されるように、上記パネル本体１には開口窓部１１が設けられ、この開口窓部１１にＡＶ機器９が円筒状突起８１、８２によって回動自在に内設されている。
【００２０】
図２は、上記スライドランナー４を示す部分断面側面図である。図２に示すように、上記スライドランナー４は、天井面Ｓに配設された上間仕切りレール２のリップ２１間の隙間に保持されるガイドローラ４１とこのガイドローラ４１に連設される円筒状のガイドピン４２とから構成されている。上記ガイドピン４２は、パネル本体１に内設されたスリーブ６に摺動自在に嵌挿され、パネル本体１の上面と上間仕切りレール２の下面との間の距離ｄは自由空間とされている。
【００２１】
図３は、上記パネル本体１の下部を示す部分断面側面図である。図３に示すように、上記パネル本体１の下部には、上記スリーブ６と同軸線上に円筒体の下ガイドピン５が設けられ、この下ガイドピン５によってパネル本体１は、床面Ｆに設けられた下間仕切りレール３上で回動自在かつ、スライド自在に支持されている。通常、この下ガイドピン５はパネル本体１の下端部略中央に設けられ、下ガイドピン５を挟んだ両側にはスプリングの付いたボールキャスター７１、７２が設けられている。
【００２２】
図４は、上記した可動間仕切りパネルＡを室内空間の間仕切り位置に配設した状態を示す説明図である。図４には、上記開口窓部１１を有するパネル本体１と開口窓部１１を有しない通常のパネル本体１ａによって間仕切りされた状態が示されている。図４に示す状態においては、パネル本体１は上間仕切りレール２と下間仕切りレール３との間にパネル本体１の上部に設けられたスライドランナー４および下ガイドピン５を介してスライド可能に保持されている。また、上記上間仕切りレール２から略直角に屈曲し壁面に沿う上延設レール２ａが天井面Ｓに配設されるとともに、上記下間仕切りレール３から略直角に屈曲し壁面に沿う下延設レール３ａが床面Ｆに配設されている。
【００２３】
図４、図５に示す状態において、パネル本体１に設けられた開口窓部１１には、ＡＶ機器９が円筒状突起８１、８２によって回動自在に内設されているため、図５に示すように、ＡＶ機器９を回動して反転させれば、分離された各部屋に必要に応じてＡＶ機器９を配設した面を向けることが可能となり、１台のＡＶ機器を二つの部屋で共用することができる。
【００２４】
一方、本実施形態においては、パネル本体１も回動可能とされている。すなわち、図６に示すように、パネル本体１をスライドランナー４と下ガイドピン５とから形成される軸を回転軸として回動することができる。ここで、パネル本体１は、断面略円形の円筒体である下スライドピン５上で矢印の方向に容易に回動し、スプリングによりクッション性を付与されたボールキャスター７１、７２は下間仕切りレール３のエッジ部に引っ掛かることなく下間仕切りレール３から床面に容易に移動することができる。
【００２５】
また、図２に示すように、パネル本体１の上部に内設されスリーブ６はスライドランナー４のガイドピン４２に沿ってせり上がり、このように上記した距離ｄが伸縮することにより、ボールキャスター７１、７２は下間仕切りレール３から容易に床面に移動し、スムースに床面上を回転することができる。
【００２６】
例えば、二つの部屋を連結して使用したいとき、パネル本体１を図６に示すように壁面と略平行となるように直角に回動し、そのまま白抜き矢印の方向にスライド移動して上間仕切りレール２から略直角に屈曲し壁面に沿う上延設レール２ａ、および上記下間仕切りレール３から略直角に屈曲し壁面に沿う下延設レール３ａに沿ってスライド移動させることができる。ここで、スライドランナー４のガイドピン４２と下ガイドピン５とは円筒状に形成されているため、上間仕切りレール２と上延設レール２ａとの屈曲部、および上記下間仕切りレール３と下延設レール３ａとの屈曲部においてもスムースに曲がることが可能であり、かくして、パネル本体１を壁面に沿う右側の収納位置に移動させることができる。
【００２７】
図７は、上記のようにしてパネル本体１を右側の収納位置に、またパネル本体１ａを壁面に沿う左側の収納位置に移動させ、納めた状態を示す説明図である。上記したように、パネル本体１、１ａを室内空間の間仕切り位置から壁面に沿う収納位置に移動することにより、二つの部屋をひとつの部屋として使用することができるとともに、パネル本体１の開口窓部１１に回動自在に内設されたＡＶ機器９、例えば、薄型テレビを楽しむことができる。
【００２８】
上記実施形態においては、薄型テレビを例にして説明したが、薄型テレビに限られず、ＣＤ兼用ＤＶＤドライブ、カセットデッキやチューナ、ＭＤデッキ等、いわゆるＡＶ機器と呼ばれる電器製品であれば特に限定されることなく適用することができる。このように、本願発明は設計変更自在であり、特許請求の範囲を逸脱しない限り、本発明の技術的範囲に属する。
【図面の簡単な説明】
【００２９】
【図１】本願発明に係る可動間仕切りパネルを示す外観斜視図。
【図２】本願発明に係るスライドランナーを示す部分断面側面図。
【図３】本願発明に係るパネル本体の下部を示す部分断面側面図。
【図４】本願発明に係る可動間仕切りパネルを室内空間の間仕切り位置に配設した状態を示す説明図。
【図５】ＡＶ機器を回動して反転し、間仕切りされた各部屋に必要に応じてＡＶ機器を配設する状態を示す説明図。
【図６】本願発明に係るパネル本体をスライドランナーと下ガイドピンとから形成される軸を回転軸として回動する状態を示す説明図。
【図７】本願発明に係るパネル本体を壁面に沿う収納位置に移動させ、納めた状態を示す説明図。
【符号の説明】
【００３０】
Ａ      本発明にかかる可動間仕切りパネル
Ｆ      床面
Ｓ      天井面
１      パネル本体
１ａ    パネル本体
１１    開口窓部
２      上間仕切りレール
２１    リップ
２ａ    上延設レール
３      下間仕切りレール
３ａ    下延設レール
４      スライドランナー
４１    ガイドローラ
４２    ガイドピン
５      下ガイドピン
６      スリーブ
７１    ボールキャスター
７２    ボールキャスター
８１    円筒状突起
８２    円筒状突起
９      ＡＶ機器
ｄ      距離
【図１】
2009228355.tif 000003
【図２】
2009228355.tif 000004
【図３】
2009228355.tif 000005
【図４】
2009228355.tif 000006
【図５】
2009228355.tif 000007
【図６】
2009228355.tif 000008
【図７】
2009228355.tif 000009